(57)【要約】【課題】物理レーンの一部に障害が発生しても、他のメディアコンバータに管理情報を通知するメディアコンバータ、及び、中継システムを提供する。【解決手段】分配・制御ブロック挿入部６４は、複数のＰＣＳレーン１〜４に対し、データブロック０〜７を巡回的に分配するとともに、制御ブロック７６を挿入し、データブロック０〜７及び制御ブロック７６をそれぞれ含む複数のブロック列を形成する。そして、分配・制御ブロック挿入部６４は、制御ブロック７６を挿入する際、制御ブロック７６の一部として、管理情報８４を挿入する。【選択図】図５
2012222611.tif 000002
【特許請求の範囲】
【請求項１】
ネットワーク内でユーザフレームを送受信する際に、複数の伝送信号を並列的に送受信するメディアコンバータにおいて、
前記ユーザフレームに符号化処理及びスクランブル化処理を施し、複数のデータブロックを形成する符号化手段と、
前記データブロックを複数のＰＣＳレーンに巡回的に分配するとともに、前記データブロックの序列関係を示すアライメント情報を含む制御ブロックを前記ＰＣＳレーンの各々に周期的に挿入し、前記データブロック及び前記制御ブロックをそれぞれ含む、複数のブロック列を形成する分配手段と、
前記ネットワークの運用に供される管理情報を生成する管理情報生成手段と、
全ての前記ブロック列の前記制御ブロックにおける、前記アライメント情報以外の領域に、前記管理情報生成手段により生成された同一の前記管理情報を並列的に包含させる管理情報包含手段と
を備えるメディアコンバータ。
【請求項２】
請求項１に記載のメディアコンバータにおいて、
前記管理情報包含手段は、
前記分配手段が挿入する前記制御ブロックに前記管理情報を包含させる、
メディアコンバータ。
【請求項３】
請求項１に記載のメディアコンバータにおいて、
前記分配手段は、
前記アライメント情報及びエラー情報を含む前記制御ブロックを前記ＰＣＳレーンに挿入し、
前記管理情報包含手段は、
前記制御ブロックに含まれる前記エラー情報を前記管理情報に置き換える、
メディアコンバータ。
【請求項４】
請求項１乃至３の何れか一項に記載のメディアコンバータにおいて、
受信した前記ブロック列の中から、
前記アライメント情報に基づいて前記管理情報を特定する管理情報特定手段
を備えるメディアコンバータ。
【請求項５】
ネットワーク内に配置され、相互にユーザフレームを送受信する際、複数の伝送信号を並列的に送受信する少なくとも２つのメディアコンバータを備える中継システムにおいて、
前記メディアコンバータは、
前記ユーザフレームに符号化処理及びスクランブル化処理を施し、複数のデータブロックを形成する符号化手段と、
前記データブロックを複数のＰＣＳレーンに巡回的に分配するとともに、前記データブロックの序列関係を示すアライメント情報を含む制御ブロックを前記ＰＣＳレーンの各々に周期的に挿入し、前記データブロック及び前記制御ブロックをそれぞれ含む、複数のブロック列を形成する分配手段と、
前記ネットワークの運用に供される管理情報を生成する管理情報生成手段と、
全ての前記ブロック列の前記制御ブロックにおける、前記アライメント情報以外の領域に、前記管理情報生成手段により生成された同一の前記管理情報を並列的に包含させる管理情報包含手段と
を備える中継システム。
【請求項６】
請求項５に記載の中継システムにおいて、
前記管理情報包含手段は、
前記分配手段が挿入する前記制御ブロックに前記管理情報を包含させる、
中継システム。
【請求項７】
請求項５に記載の中継システムにおいて、
前記分配手段は、
前記アライメント情報及びエラー情報を含む前記制御ブロックを前記ＰＣＳレーンに挿入し、
前記管理情報包含手段は、
前記制御ブロックに含まれる前記エラー情報を前記管理情報に置き換える、
中継システム。
【請求項８】
請求項５乃至７の何れか一項に記載の中継システムにおいて、
前記メディアコンバータは、
受信した前記ブロック列の中から、
前記アライメント情報に基づいて、前記管理情報を特定する管理情報特定手段
を備える中継システム。
【発明の詳細な説明】
【技術分野】
【０００１】
本発明は、メディアコンバータ、及び、中継システムに関する。
【背景技術】
【０００２】
従来、例えば広域ネットワーク内でフレームを送受信するにあたり、伝送フレームの送信間隔（Ｉｎｔｅｒ  Ｆｒａｍｅ  Ｇａｐ：ＩＦＧ）に、通信状態の監視及び制御を行うための監視／制御信号を挿入する先行技術が知られている（例えば、特許文献１参照。）。
特許文献１が開示する中継装置は、Ｉｎｓｅｒｔ／Ｄｒｏｐ機能部を有し、Ｉｎｓｅｒｔ／Ｄｒｏｐ機能部は、中継装置がフレームの送信を行う際、監視／制御信号をＩＦＧに挿入する。また、Ｉｎｓｅｒｔ／Ｄｒｏｐ機能部は、中継装置がフレームを受信する際、監視／制御信号を抽出し、監視／制御信号を監視装置に通知する。
【０００３】
上記の先行技術によれば、ＩＦＧに監視／制御信号を挿入することで、ユーザデータを含む伝送フレームの帯域に影響を与えることなく、監視／制御信号を用いて通信状態を監視できる。
【先行技術文献】
【特許文献】
【０００４】
【特許文献１】特開２００９−２３２１９３号公報
【発明の概要】
【発明が解決しようとする課題】
【０００５】
しかしながら上述した先行技術については、以下の問題が想定される。
例えば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．３ｂａで標準化された４０Ｇｂｐｓ／１００Ｇｂｐｓ域を用いた通信規格では、高いビットレート水準に対応するため、電気信号が複数のＰＣＳ（Ｐｈｙｓｉｃａｌ  Ｃｏｄｉｎｇ  Ｓｕｂｌａｙｅｒ）レーンに分配される。そして、複数のＰＣＳレーンのデータは、複数の物理レーンに振り分けられて転送される。
【０００６】
この通信規格を採用する場合、一例として、中継装置内には物理レーンの各々に光トランシーバを配置することが想定される。各物理レーンにおいて、光トランシーバは、データを電気信号から光信号に変換する。複数の光トランシーバから出力される光信号は、波長フィルタで多重化される場合には一本の光ファイバを通して、そうでない場合は複数の光ファイバを通して、接続先の中継装置へ送信される。
【０００７】
ここで、一の中継装置内でいずれかの光トランシーバに故障が生じた場合、正常な光トランシーバからは光信号が出力されるものの、故障が生じた光トランシーバからは光信号が出力されない。あるいは、複数の光ファイバを通して通信を行う場合、光トランシーバは正常であっても、いずれかの光ファイバに障害が発生すると、光信号が遮断される。
【０００８】
これらの場合、対向する中継装置は、本来受信すべき光信号の一部を受信出来ず、監視／制御信号を一部が欠損した状態で受信することになる。このため、対向する中継装置は、Ｉｎｓｅｒｔ／Ｄｒｏｐ機能部で監視／制御信号を読み取ることができない。この結果、２つの中継装置は監視／制御信号により互いに通信状態を監視することができなくなる。
【０００９】
そこで本発明は、物理レーンの一部に障害が発生しても、他のメディアコンバータに管理情報を通知するメディアコンバータ、及び、中継システムの提供を課題とする。
【課題を解決するための手段】
【００１０】
上記の課題を解決するために本発明の一態様として、ネットワーク内でユーザフレームを送受信する際に、複数の伝送信号を並列的に送受信するメディアコンバータにおいて、ユーザフレームに符号化処理及びスクランブル化処理を施し、複数のデータブロックを形成する符号化手段と、データブロックを複数のＰＣＳレーンに巡回的に分配するとともに、データブロックの序列関係を示すアライメント情報を含む制御ブロックをＰＣＳレーンの各々に周期的に挿入し、データブロック及び制御ブロックをそれぞれ含む、複数のブロック列を形成する分配手段と、ネットワークの運用に供される管理情報を生成する管理情報生成手段と、全てのブロック列の制御ブロックにおける、アライメント情報以外の領域に、管理情報生成手段により生成された同一の管理情報を並列的に包含させる管理情報包含手段と、を備えるメディアコンバータが提供される。
【００１１】
また、本発明の一態様として、ネットワーク内に配置され、相互にユーザフレームを送受信する際、複数の伝送信号を並列的に送受信する少なくとも２つのメディアコンバータを備える中継システムにおいて、メディアコンバータは、ユーザフレームに符号化処理及びスクランブル化処理を施し、複数のデータブロックを形成する符号化手段と、データブロックを複数のＰＣＳレーンに巡回的に分配するとともに、データブロックの序列関係を示すアライメント情報を含む制御ブロックをＰＣＳレーンの各々に周期的に挿入し、データブロック及び制御ブロックをそれぞれ含む、複数のブロック列を形成する分配手段と、ネットワークの運用に供される管理情報を生成する管理情報生成手段と、全てのブロック列の制御ブロックにおける、アライメント情報以外の領域に、管理情報生成手段により生成された同一の管理情報を並列的に包含させる管理情報包含手段とを備える中継システムが提供される。
【発明の効果】
【００１２】
本発明によれば、物理レーンの一部に障害が発生しても、他のメディアコンバータに管理情報を通知するメディアコンバータ、及び、中継システムが提供される。
【図面の簡単な説明】
【００１３】
【図１】第１実施形態の中継システムの構成例を概略的に示す図である。
【図２】図１中のメディアコンバータの構成例をＯＳＩ参照モデルを用いて階層的に示す図である。
【図３】図１中のメディアコンバータの機能的な構成を概略的に示すブロック図である。
【図４】図１のメディアコンバータにおいて、メディアコンバータ間を伝搬するブロック列中の制御ブロックの構成を、ＩＥＥＥ８０２．３ｂａの通信規格に準拠したアライメントマーカの構成とともに、概略的に示す図である。
【図５】図３中の長距離側符号化部及び分配・制御ブロック挿入部におけるデータ送信時の転送処理を説明するための概略的なデータ流れ図である。
【図６】図３中の長距離側復号化部及び再現・制御ブロック取得部におけるデータ受信時の転送処理を説明するための概略的なデータ流れ図である。
【図７】第２実施形態のメディアコンバータの機能的な構成を概略的に示すブロック図である。
【図８】図７中の分配・制御ブロック挿入部及び管理情報挿入部における、データ送信時の転送処理を説明するための概略的なデータ流れ図である。
【発明を実施するための形態】
【００１４】
以下、本発明の実施形態について図面を参照しながら説明する。
〔第１実施形態〕
図１は、第１実施形態のネットワーク１０の構成を概略的に示す図である。ネットワーク１０は、複数の端末１２ａ，１２ｂ同士の間を接続している。端末１２ａ，１２ｂは、例えばＰＣ（パーソナルコンピュータ）やサーバ等の情報処理装置からなり、相互に通信を必要とする場合、ユーザフレーム１４を生成して相手に向けて送信する。
【００１５】
端末１２ａ，１２ｂは、通信ケーブル１６ａ，１６ｂを介して、ネットワーク１０の一部を構成するネットワーク中継器１８ａ，１８ｂにそれぞれ接続されている。ネットワーク中継器１８ａ，１８ｂは、例えば、レイヤ２スイッチやレイヤ３スイッチ等のスイッチングハブによって構成されている。
【００１６】
ネットワーク中継器１８ａ，１８ｂは、端末１２ａ，１２ｂが送信したユーザフレーム１４を宛先に向けて中継する一方、宛先が端末１２ａ，１２ｂであるユーザフレーム１４を端末１２ａ，１２ｂに向けて送信する。
なお、図１中、ユーザフレーム１４の近傍に実線で描かれた矢印は、ユーザフレーム１４の転送方向を示している。
【００１７】
〔中継システム〕
ネットワーク中継器１８ａ，１８ｂは、ネットワーク１０の一部を構成する中継システム２０を介して相互に接続されている。中継システム２０は、ネットワーク中継器１８ａ，１８ｂ間でのユーザフレーム１４の転送を担当する。
【００１８】
具体的には、中継システム２０は、少なくとも２つのメディアコンバータ２２ａ，２２ｂを有し、ネットワーク中継器１８ａ，１８ｂは、通信ケーブル２４ａ，２４ｂを介して、メディアコンバータ２２ａ，２２ｂにそれぞれ接続されている。また、メディアコンバータ２２ａ，２２ｂは、光ファイバケーブル２６を介して相互に接続されている。
【００１９】
メディアコンバータ２２ａ，２２ｂは、例えばＩＥＥＥ８０２．３ｂａで標準化された４０Ｇｂｐｓ／１００Ｇｂｐｓ域での通信規格に準拠している。メディアコンバータ２２ａ，２２ｂは、光ファイバケーブル２６を介して、例えば１００ｋｍ以上の長距離区間で相互に通信を行うことができる。また、メディアコンバータ２２ａ，２２ｂ同士の間に、ＳＯＮＥＴ／ＳＤＨ方式の伝送設備を設置すれば、メディアコンバータ２２ａ，２２ｂは、数千ｋｍ程度の長距離区間で相互に通信を行うことができる。
【００２０】
また、本実施形態では、メディアコンバータ２２ａに監視装置２８が接続されている。監視装置２８は、例えば、ＰＣ（パーソナルコンピュータ）によって構成される。監視装置２８は、メディアコンバータ２２ａを通じて、メディアコンバータ２２ａ，２２ｂの通信状態等、ネットワーク１０の運用に供される管理情報を取得する一方、メディアコンバータ２２ａ，２２ｂに管理情報を提供する。
【００２１】
〔メディアコンバータ〕
図２は、メディアコンバータ２２ａ，２２ｂの概略的な構成をＯＳＩ（Ｏｐｅｎ  Ｓｙｓｔｅｍｓ  Ｉｎｔｅｒｃｏｎｎｅｃｔｉｏｎ）参照モデルを用いて階層的に示す図である。
ＯＳＩ参照モデルによれば、メディアコンバータ２２ａ，２２ｂは、ＰＭＤ（Ｐｈｙｓｉｃａｌ  Ｍｅｄｉｕｍ  Ｄｅｐｅｎｄｅｎｔ）層／ＰＭＡ（Ｐｈｙｓｉｃａｌ  Ｍｅｄｉｕｍ  Ａｔｔａｃｈｍｅｎｔ）層３０、ＰＣＳ（Ｐｈｙｓｉｃａｌ  Ｃｏｄｉｎｇ  Ｓｕｂｌａｙｅｒ）層３２、ＭＩＩ（Ｍｅｄｉａ  Ｉｎｄｅｐｅｎｄｅｎｔ  Ｉｎｔｅｒｆａｃｅ）層３４、ＲＳ（Ｒｅｃｏｎｃｉｌｉａｔｉｏｎ  Ｓｕｂｌａｙｅｒ）層３６、及び、ＭＡＣ（Ｍｅｄｉａ  Ａｃｃｅｓｓ  Ｃｏｎｔｒｏｌ）層３８を有する。
【００２２】
ＰＭＤ層／ＰＭＡ層３０は、ＰＣＳ層３２から受け取った後述する送信符号（電気信号）に基づいて、伝送媒体としての通信ケーブル２４ａ，２４ｂ及び光ファイバケーブル２６を伝搬させる伝送信号（光信号）を生成（変換）し、送信する機能を有する。また、ＰＭＤ層／ＰＭＡ層３０は、伝送媒体を通じて受け取った伝送信号に基づいて、ＰＣＳ層３２に向けて送信させる後述する送信符号を生成（変換）し、送信する機能も有する。
【００２３】
ＭＩＩ層３４は、ＲＳ層３６とＰＣＳ層３２とを接続するインターフェースである。例えば、ＭＩＩ層３４は、ＲＳ層３６から受け取った送信データを８ｂｉｔごとに分割した上で８オクテット（６４ｂｉｔ）単位でＰＣＳ層３２へ渡す。このとき、６４ｂｉｔ単位の送信データはパラレルのビット配列として渡される。
【００２４】
ＲＳ層３６は、ＭＡＣ層３８から受け取った送信データ、即ちユーザフレーム１４をＰＣＳ層３２に向けて送信する際、ユーザフレーム１４の間隔（Ｉｎｔｅｒ  Ｆｒａｍｅ  Ｇａｐ、以下、「ＩＦＧ」と略称する。）を調整する。
ＭＡＣ層３８は、ＲＳ層３６から受け取った送信データを、ＲＳ層３６に向けて送信する。この際、ＭＡＣ層３８は、例えば、ネットワーク中継器１８ａから受け取った伝送信号を対向するメディアコンバータ２２ｂに向けて送信し、逆に、対向するメディコンバータ２２ｂから受け取った伝送信号をネットワーク中継器１８ａに向けて送信するといった具合に、第１のグループから第２のグループへ、第２のグループから第１のグループへ、送信データを転送する。
【００２５】
ＰＣＳ層３２は、ＭＩＩ層３４から受け取った送信データに符号化処理等の処理を施して送信符号に変換し、得られた送信符号をＰＭＤ層／ＰＭＡ層３０に向けて送信する機能を有する。また、ＰＣＳ層３２は、ＰＭＤ層／ＰＭＡ層３０から受け取った送信符号に復号化処理等を施して送信データに変換し、送信データをＭＩＩ層３４に向けて送信する機能を有する。
【００２６】
図３は、メディアコンバータ２２ａの機能的な構成を概略的に示すブロック図である。メディアコンバータ２２ｂの構成は、メディアコンバータ２２ａの構成と同一であるため、図３中、メディアコンバータ２２ｂの構成は省略する。なお、図３のメディアコンバータ２２ａは、ＩＥＥＥ８０２．３ｂａの４０Ｇｂｐｓの規格に準拠している。
【００２７】
メディアコンバータ２２ａ，２２ｂは、構成要素の一つとしてフレーム処理部４９を有する。フレーム処理部４９はＭＡＣ層３８の機能を主に担当する。フレーム処理部４９は、ネットワーク中継器１８ａ，１８ｂから受け取った伝送信号を対向するメディコンバータ２２ｂ，２２ａに向けて送信し、対向するメディコンバータ２２ｂ，２２ａから受け取った伝送信号をネットワーク中継器１８ａ，１８ｂに向けて送信するよう、ユーザフレーム１４の転送処理を行う。
フレーム処理部４９は、例えばＦＰＧＡ（Ｆｉｅｌｄ  Ｐｒｏｇｒａｍｍａｂｌｅ  Ｇａｔｅ  Ａｒｒａｙ）や、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の集積回路により構成される。
【００２８】
メディアコンバータ２２ａ，２２ｂの他の構成要素は、フレーム処理部４９を境界として大きく二つのグループに分けることができる。第１のグループには、ネットワーク中継器１８ａとの間の短距離伝送区間で、ユーザフレーム１４を送受信するための構成要素が属する。第２のグループには、他方のメディアコンバータ２２ｂ，２２ａとの間の長距離伝送区間で、ユーザフレーム１４を送受信するための構成要素が属する。
【００２９】
〔第１のグループ／短距離側〕
より詳しくは、第１のグループには、ＰＭＤ層／ＰＭＡ層３０の機能を担当するユーザポート（短距離側ポート）４０、光電変換モジュール（Ｏ／Ｅ）４２及び電気光変換モジュール（Ｅ／Ｏ）４４、並びに、ＰＣＳ層３２の機能を担当する短距離側復号化部４６及び短距離側符号化部４８が属している。
【００３０】
ユーザポート４０は、通信ケーブル２４ａが接続されるポートであり、光電変換モジュール４２及び電気光変換モジュール４４に接続されている。電気光変換モジュール４４は、短距離側符号化部４８が送信した電気信号を受信し、光信号に変換して送信する。電気光変換モジュール４４が送信した光信号は、ユーザポート４０及び通信ケーブル２４ａを通じて、ネットワーク中継器１８ａまで伝搬する。
【００３１】
一方、ネットワーク中継器１８ａが送信した光信号は、通信ケーブル２４ａ及びユーザポート４０を通じて、光電変換モジュール４２まで伝搬する。光電変換モジュール４２は、受信した光信号を電気信号に変換し、短距離側復号化部４６に向けて送信する。
なお、光電変換モジュール４２、電気光変換モジュール４４及びユーザポート４０は、一体の光トランシーバによって構成されていてもよい。
【００３２】
短距離側復号化部４６は、光電変換モジュール４２が送信した電気信号の送信符号に復号化処理を施して送信データに変換し、得られた送信データ、即ちユーザフレーム１４をフレーム処理部４９へ送信する。
フレーム処理部４９は、短距離側復号化部４６が送信したユーザフレーム１４を受信し、第２のグループに向けて送信する。
【００３３】
一方、短距離側符号化部４８は、フレーム処理部４９が送信したユーザフレーム１４を受信し、例えば６４Ｂ／６６Ｂ符号化方式により符号化を行い、得られた送信符号を電気光変換モジュール４４へ向けて送信する。電気光変換モジュール４４は、送信符号を電気信号から光信号に変換し、光信号は、ユーザポート４０及び通信ケーブル２４ａを通じて、ネットワーク中継装置１８ａまで伝搬する。
【００３４】
〔第２のグループ／長距離側〕
一方、第２のグループには、ＰＭＤ層／ＰＭＡ層３０の機能を担当する、ネットワークポート（長距離側ポート）５０、光電変換モジュール（Ｏ／Ｅ）５２、電気光変換モジュール（Ｅ／Ｏ）５４、分波器５６、及び、合波器５８が属している。
【００３５】
そして、第２のグループには、ＰＣＳ層３２の機能の一部を担当する、長距離側符号化部６０、及び、長距離側復号化部６２が属している。
ネットワークポート５０は、光ファイバケーブル２６が接続されるポートである。ネットワークポート５０には、分波器５６及び合波器５８が接続されている。合波器５８は、複数の電気光変換モジュール５４から受け取った波長の異なる複数の光信号を多重化し、ネットワークポート５０に向けて送信する。
【００３６】
一方、分波器５６は、ネットワークポート５０を通じて受信した多重化された光信号を、複数の光信号に分割し、そして、複数の光電変換モジュール５２に向けて送信する。
なお、複数の光信号を多重化して一本の光ファイバケーブル２６にて送信するのではなく、複数の光信号を複数の光ファイバケーブルを通して別々に送信してもよい。
【００３７】
電気光変換モジュール５４は、長距離側符号化部６０が送信した電気信号を受信し、光信号に変換して送信する。電気光変換モジュール５４が送信した光信号は、合波器５８、ネットワークポート５０及び光ファイバケーブル２６を通じて、対向するメディアコンバータ２２ｂまで伝搬する。
【００３８】
一方、対向するメディアコンバータ２２ｂが送信した光信号は、光ファイバケーブル２６、ネットワークポート５０、及び、分波器５６を通じて、光電変換モジュール５２まで伝搬する。光電変換モジュール５２は、受信した光信号を電気信号に変換し、長距離側復号化部６２に向けて送信する。
なお、光電変換モジュール５２及び電気光変換モジュール５４は、一体の光トランシーバによって構成されていてもよい。
【００３９】
長距離側符号化部６０は、フレーム処理部４９から受け取ったユーザフレーム１４を符号化して送信符号に変換する（符号化処理）。本実施形態では、符合化の方式として、６４Ｂ／６６Ｂ符号化方式が採用される。
【００４０】
６４Ｂ／６６Ｂ符号化方式によれば、ユーザフレーム１４である送信データが６４ｂｉｔごとに符合化される。そして、符合化された送信データは、６４ｂｉｔのブロック単位でスクランブルされ（スクランブル化処理）、得られたスクランブル信号の各ブロックに２ｂｉｔのヘッダ情報が付加される。つまり、送信符号は、６６ｂｉｔのブロック（以下、データブロックという）の集合からなる。
【００４１】
長距離側復号化部６２は、受け取った送信符号に対してデスクランブル処理及び復号化処理を行う。復号化処理により得られた送信データ、即ちユーザフレーム１４は、フレーム処理部４９へ転送される。フレーム処理部４９は、ユーザフレーム１４を第１のグループの短距離側符号化部４８に向けて送信する。
【００４２】
更に、第２のグループには、ＰＣＳ層３２の機能の一部を担当する、分配手段としての分配・制御ブロック挿入部６４、制御ブロック抽出手段及びアライメント情報特定手段としての再現・制御ブロック取得部６６が属している。
【００４３】
分配・制御ブロック挿入部６４は、長距離側符号化部６０から受け取った送信符号のデータブロックを、ブロック単位にて、論理的な４つのＰＣＳレーンに巡回的に分配し、且つ、各ＰＣＳレーンに、データブロック間に位置するように、例えば１６３８３ブロック間隔にて周期的に制御ブロックを挿入する。これにより、各ＰＣＳレーンには、データブロックと制御ブロックからなるブロック列が形成される。ＰＣＳレーンの数に対応する複数のブロック列は、４つの物理レーンを通じて、各物理レーンに設けられた電気光変換モジュール５４へ向けて並列にて送信される。
【００４４】
なお、分配・制御ブロック挿入部６４は、ＩＥＥＥ８０２．３ｂａの１００Ｇｂｐｓの規格では、データブロックは２０のＰＣＳレーンに振り分けられ、２０のブロック列は、１０又は４つの物理レーンを通じて、各物理レーンに設けられた電気光変換モジュール５４へ向けて並列にて送信される。
【００４５】
再現・制御ブロック取得部６６は、複数の光電変換モジュール５２から、複数のブロック列を受け取る。再現・制御ブロック取得部６６は、ブロック列間での遅延を補正した後、ブロック列中のデータブロックを配列し直し、送信符号を再現する。そして、再現・制御ブロック取得部６６は、再現した送信符号を長距離側復号化部６２に向けて送信する。
【００４６】
より詳しくは、遅延を補正するために、ブロック列中の制御ブロックには、アライメント情報（ＡＩ）が含まれている。アライメント情報は、ブロック列間でのデータブロックの序列関係を示す情報である。再現・制御ブロック取得部６６は、各ブロック列において、アライメント情報の周期に基づいてアライメント情報を特定し、そして、全てのブロック列のアライメント情報に基づいて遅延を補正する。
【００４７】
一方、メディアコンバータ２２ａ，２２ｂは、第１のグループ及び第２のグループとは別に、第３のグループに属する構成要素も有している。第３のグループの構成要素は、ネットワーク１０の運用に供される管理情報を送受信するための機能を有する。
具体的には、メディアコンバータ２２ａ，２２ｂは、管理情報生成手段としての管理情報生成部７０、管理情報抽出手段としての管理情報抽出部７２、及び、管理情報生成部７０及び管理情報抽出部７２を制御する管理情報制御部７４を有する。
【００４８】
管理情報制御部７４は、例えばＣＰＵ（中央演算処理装置）によって構成され、管理情報生成部７０を制御し、管理情報生成部７０に管理情報を生成させる。なお、管理情報制御部７４は、自律的及び監視装置２８からの命令に基づいて、管理情報生成部７０に管理情報を生成させることが出来る。
【００４９】
管理情報は、ネットワーク１０の運用に供される情報であり、メディアコンバータ２２ａ，２２ｂの通信状態の外、メディアコンバータ２２ａ，２２ｂのＯＳ（オペレーティングシステム）のアップデート命令等も含む。具体的には、管理情報は、Ｒ−ＩＮＮ（電源断）、ＡＩＳ（Ａｌａｒｍ  Ｉｎｄｉｃａｔｉｏｎ  Ｓｉｇｎａｌ）やＲＤＩ（Ｒｅｍｏｔｅ  Ｄｅｆｅｃｔ  Ｉｎｄｉｃａｔｉｏｎ）等の情報を含む。
【００５０】
管理情報生成部７０で生成された管理情報は、分配・制御ブロック挿入部６４によって、ＰＣＳレーンに配列された全てのブロック列の制御ブロックに包含させられる。つまり、分配・制御ブロック挿入部６４は、ブロック列の制御ブロックに管理情報を包含させる、管理情報包含手段を構成している。
管理情報包含手段によって、管理情報は、制御ブロックのアライメント情報以外の領域に包含させられる。また、全てのブロック列の制御ブロックに、同一の管理情報が並列的に包含させられる。
【００５１】
管理情報抽出部７２は、再現・制御ブロック取得部６６がアライメント情報を特定するタイミングに同期して、制御ブロックに含まれる管理情報を特定し、管理情報を読み込む。読み込まれた管理情報は、例えば、管理情報制御部７４を介して、メディアコンバータ２２ａに接続された監視装置２８に送られる。これによりネットワーク１０を管理する作業者がメディアコンバータ２２ａ，２２ｂ間における通信状態を監視することができる。
【００５２】
図４は、制御ブロックの構成を示す図である。上段は、アライメント情報と管理情報とを含む制御ブロック７６であり、下段は、アライメント情報とエラー情報とを含む制御ブロック７８である。下段の制御ブロック７８は、具体的にＩＥＥＥ８０２．３ｂａの通信規格に準拠したアライメントマーカ（ＡＭ）７８と同じである。すなわち、本明細書において、「制御ブロック」は、ＩＥＥＥ８０２．３ｂａの通信規格に準拠したアライメントマーカ（ＡＭ）を含む用語として使用される。
【００５３】
図４の下段に示されているアライメントマーカ７８は、全体として６６ｂｉｔのサイズを有する。アライメントマーカ７８は複数の領域からなり、具体的には、先頭から順に、Ｈｅａｄｅｒ領域７８ａ、Ｍ０領域７８ｂ、Ｍ１領域７８ｃ、Ｍ２領域７８ｄ、ＢＩＰ３領域７８ｅ、Ｍ４領域７８ｆ、Ｍ５領域７８ｇ、Ｍ６領域７８ｈ、及び、ＢＩＰ７領域７８ｉを含む。
Ｍ４領域７８ｆ、Ｍ５領域７８ｇ、Ｍ６領域７８ｈ、及びＢＩＰ７領域７８ｉに格納される情報は、それぞれ、Ｍ０領域７８ｂ、Ｍ１領域７８ｃ、Ｍ２領域７８ｄ、及びＢＩＰ３領域７８ｅに格納される情報のビット反転情報である。
【００５４】
図４の上段に示されている制御ブロック７６は、アライメントマーカ７８と同様に全体として６６ｂｉｔのサイズを有する。そして、制御ブロック７６は、ヘッダ情報８０、アライメント情報（ＡＩ）８２、管理情報８４、及び、ビット反転情報８６を有し、これらのうち、ヘッダ情報８０、及び、アライメント情報８２は、アライメントマーカ７８と同様に規定される情報である。
【００５５】
すなわち、アライメント情報８２は、アライメントマーカ７８のＭ０領域７８ｂ、Ｍ１領域７８ｃ、Ｍ２領域７８ｄに格納される情報と同じである。従って、アライメント情報８２は、ＰＣＳレーンごとに割り当てられた２４ｂｉｔ（３ｂｙｔｅ）の固定値である。
【００５６】
また、ビット反転情報８６は、アライメント情報８２及び管理情報８４を反転させた情報である。すなわち、ビット反転情報８６は、アライメントマーカ７８のＭ４領域７８ｆ、Ｍ５領域７８ｇ、Ｍ６領域７８ｈに格納される情報と同じ情報と、管理情報８４を反転させた情報とからなる。ビット反転情報８６の存在によって、制御ブロック７６全体のＤＣバランスが調整される。
【００５７】
なお、ＩＥＥＥ８０２．３ｂａに規定されたアライメントマーカ７８のＢＩＰ３領域７８ｅにはエラー情報、具体的には、ビットエラーを検出するための１ｂｙｔｅのパリティが格納される。
【００５８】
以下、メディアコンバータ２２ａ，２２ｂが対向するメディアコンバータ２２ｂ，２２ａにユーザフレーム１４を送信する際の、長距離側符号化部６０及び分配・制御ブロック挿入部６４おけるデータの流れを、図５を参照して説明する。
なお、図５中に示す（０）〜（７）の番号は、送信符号のデータブロックの序列を表している。
【００５９】
長距離側符号化部６０は、フレーム処理部４９から受け取った送信データを、６６ｂｉｔ単位のデータブロック（０）〜（７）に変換する。
分配・制御ブロック挿入部６４は、長距離側符号化部６０から受け取ったデータブロック（０）〜（７）を、ＰＣＳレーン１〜４に巡回的に分配する。また、分配・制御ブロック挿入部６４は、ＰＣＳレーン１〜４に制御ブロック７６を挿入する。このとき、制御ブロック７６は同一のタイミングでＰＣＳレーン１〜４に並列的に挿入される。
【００６０】
これにより、各ＰＣＳレーン１〜４においてデータブロック（０）〜（７）と制御ブロック７６とからなるブロック列が形成される。各ブロック列において、制御ブロック７６は、１６３８３ブロックごとに周期的に配列されている。
そして、制御ブロック７６がＰＣＳレーンに挿入される際、制御ブロック７６の一部として、アライメント情報（ＡＩ）８２とともに、管理情報８４が挿入される。
【００６１】
次に、メディアコンバータ２２ｂ，２２ａが対向するメディアコンバータ２２ａ，２２ｂからユーザフレーム１４を受け取った際の、長距離側復号化部６２及び再現・制御ブロック取得部６６におけるデータの流れを、図６を参照して説明する。
【００６２】
再現・制御ブロック取得部６６は、ＰＣＳレーン１〜４ごとにブロック列を受け取り、ブロック列の中から、アライメント情報８２の周期性に基づいて、アライメント情報８２を特定する。そして、再現・制御ブロック取得部６６は、アライメント情報８２の内容に基づいて、ブロック列間での遅延を補正する。この後、再現・制御ブロック取得部６６は、複数のブロック列に含まれるデータブロックを一列に配列し、長距離側復号化部６２へ向けて送信する。
【００６３】
長距離側復号化部６２は、受け取ったデータブロックに対し、デスクランブル処理及び復号化処理を施し、得られた送信データをフレーム処理部４９に向けて送信する。
一方、管理情報抽出部７２は、再現・制御ブロック取得部６６がアライメント情報８２を特定するタイミングに同期して、管理情報８４を特定して抽出する。すなわち、制御ブロック７６における管理情報８４の格納領域は既知であり、アライメント情報８２を特定すれば、管理情報８４が特定される。
【００６４】
上述した第１実施形態のネットワーク１０では、メディアコンバータ２２ａ，２２ｂから対向するメディアコンバータ２２ｂ，２２ａに向けて複数のブロック列が並列にて送信され、そして、送信される各ブロック列の制御ブロック７６が同一の管理情報８４を含んでいる。
【００６５】
このため、メディアコンバータ２２ａからメディアコンバータ２２ｂに渡る複数の物理レーンの一部において、電気光変換モジュール５４又は光電変換モジュール５２の故障や、光ファイバケーブル２６の断線等によって障害が生じても、障害が発生していない物理レーンを通じて、対向するメディアコンバータ２２ｂ，２２ａに管理情報８４が通知される。
従って、ネットワーク１０の管理者は、管理情報８４に基づいて、ネットワーク１０を的確に管理することができる。
【００６６】
また、上述した第１実施形態のネットワーク１０では、メディアコンバータ２２ａ，２２ｂの分配・制御ブロック挿入部６４が、ＰＣＳレーンに制御ブロック７６を挿入する際に、制御ブロック７６の一部として管理情報８４を挿入しているので、管理情報８４が容易に挿入される。
【００６７】
更に、上述した第１実施形態のネットワーク１０では、メディアコンバータ２２ａ，２２ｂの再現・制御ブロック取得部６６は、ブロック列の中から制御ブロック７６内のアライメント情報８２を特定すれば、アライメント情報８２との相対的な位置関係に基づいて、容易且つ確実に管理情報８４を特定することができる。
【００６８】
その上、上述した第１実施形態のネットワーク１０のメディアコンバータ２２ａ，２２ｂでは、制御ブロック７６が、ＩＥＥＥ８０２．３ｂａに準拠したアライメントマーカ７８と比べ、エラー情報（ＢＩＰ）に代えて管理情報８４を含んでいる点においてのみ異なる。このため、アライメントマーカ７８を挿入する回路の一部を、ＢＩＰに代えて管理情報８４を挿入するように変更すれば、少ない変更にて、分配・制御ブロック挿入部６４の回路が実現される。このため、メディアコンバータ２２ａ，２２ｂは安価にて提供される。
【００６９】
〔第２実施形態〕
以下、第２実施形態に係るメディアコンバータ１００ａ，１００ｂについて説明する。
図７は、メディアコンバータ１００ａ，１００ｂの機能的な構成を概略的に示すブロック図である。メディアコンバータ１００ａ，１００ｂには、分配・制御ブロック挿入部１０２とは別に、管理情報包含手段として、管理情報挿入部１０４が設けられている。管理情報挿入部１０４は、分配・制御ブロック挿入部１０２と電気光変換モジュール５４との間に配置されている。
【００７０】
図８は、メディアコンバータ１００ａ，１００ｂが対向するメディアコンバータ１００ｂ，１００ａに向けてユーザフレーム１４を送信する際の、分配・制御ブロック挿入部１０２及び管理情報挿入部１０４におけるデータの流れを示している。
【００７１】
図８に示したように、分配・制御ブロック挿入部１０２は、ＩＥＥＥ８０２．３ｂａに準拠したアライメントマーカ（ＡＭ）７８を、ＰＣＳレーンに挿入する。そして、管理情報挿入部１０４は、ブロック列中の制御ブロック７６に含まれるエラー情報（ＢＩＰ）１０６を、管理情報８４に置き換える。管理情報挿入部１０４は、例えば、管理情報８４で置き換えるタイミングを、制御ブロック７６を挿入するタイミングに同期させることによって、エラー情報１０６を管理情報８４で置き換えることができる。
【００７２】
上述した第２実施形態のメディアコンバータ１００ａ，１００ｂにおいて、管理情報８４は、制御ブロック７６がＰＣＳレーン１〜４のブロック列にそれぞれ挿入された後に格納される。この場合であっても、メディアコンバータ１００ａからメディアコンバータ１００ｂに渡る複数の物理レーンの一部において、電気光変換モジュール５４又は光電変換モジュール５２の故障や、光ファイバケーブル２６の断線等によって障害が生じても、障害が発生していない物理レーンを通じて、対向するメディアコンバータ１００ｂ，１００ａに管理情報８４が通知される。
従って、ネットワーク１０の管理者は、管理情報８４に基づいて、ネットワーク１０を的確に管理することができる。
【００７３】
また、上述した第２実施形態のメディアコンバータ１００ａ，１００ｂは、ＩＥＥＥ８０２．３ｂａに準拠したアライメントマーカ７８を用いる従来のメディアコンバータに、エラー情報１０６を管理情報８４で置き換える回路を追加することによって容易に実現される。このため、メディアコンバータ１００ａ，１００ｂは安価にて提供される。
【００７４】
最後に、本発明は、上述した第１実施形態及び第２実施形態に限定されることはなく、第１実施形態及び第２実施形態に変更を加えた形態も含む。
【符号の説明】
【００７５】
１０            ネットワーク
１４            ユーザフレーム
１８ａ，１８ｂ  ネットワーク中継器
２０            中継システム
２２ａ，２２ｂ  メディアコンバータ
２６            光ファイバケーブル
６０            長距離側符号化部（符号化手段）
６２            長距離側復号化部
６４            分配・制御ブロック挿入部（分配手段，管理情報包含手段）
６６    再現・制御ブロック取得部（制御ブロック抽出手段，アライメント情報特定手段）
７０    管理情報生成部（管理情報生成手段）
７２    管理情報抽出部（管理情報特定手段）
７６            制御ブロック
８２            アライメント情報（ＡＩ）
８４            管理情報
【図１】
2012222611.tif 000003
【図２】
2012222611.tif 000004
【図３】
2012222611.tif 000005
【図４】
2012222611.tif 000006
【図５】
2012222611.tif 000007
【図６】
2012222611.tif 000008
【図７】
2012222611.tif 000009
【図８】
2012222611.tif 000010